(57)【特許請求の範囲】
【請求項１】
内面にスクリーンが形成されるパネルと；電子銃が挿入設置されるネック部と；前記ネック部側に連結設置されるネックシール部と、該ネック部と連結設置されるコーン部と、該コーン部と前記パネルに連結設置されるボディーを含むファンネルと；前記コーン部の外周上に設置され、前記電子銃から放出された電子ビームを前記ファンネルの長軸及び短軸方向へ偏向させる偏向ヨークを含み、前記パネルの長軸方向における前記コーン部の厚さをＴｖ、前記パネルの短軸方向における前記コーン部の厚さをＴｈ、前記パネルの対角線方向の前記コーン部の厚さをＴｄとする時、前記コーン部の厚さが管軸に沿って次の式を満たして成る陰極線管であって、
Ｔｈ（ｚ）≒Ｔｖ（ｚ）＞Ｔｄ（ｚ）
前記スクリーンの対角線端から管軸上の任意の点に連結された二つの直線が形成する角度が陰極線管の偏向角と同一に成る様な管軸上の位置を偏向基準位置とし、前記コーン部と前記ボディーが接続する部位の位置をＴＯＲとする時、前記パネルの対角線方向における前記コーン部の厚さの変化率が、管軸に沿って前記ネックシール部と前記偏向基準位置との間の区間に比べて前記偏向基準位置と前記ＴＯＲとの間の区間においてさらに大きく形成されることを特徴とする陰極線管。
【請求項２】
内面にスクリーンが形成されるパネルと；電子銃が挿入設置されるネック部と；前記ネック部側へ連結設置されるネックシール部と、該ネックシール部と連結設置されるコーン部と、該コーン部と前記パネルに連結設置されるボディーを含むファンネルと；前記コーン部の外周上に設置され前記電子銃から放出された電子ビームを前記パネルの長軸及び短軸方向へ偏向させる偏向ヨークを含み、前記コーン部の厚さが管軸に沿って前記パネルの長軸方向及び前記パネルの短軸方向においては少なくとも１つ以上の極大値を有して非単調増加、または非単調減少函数により変化し、前記パネルの対角線方向においては少なくとも１つ以上の極小値を有して非単調増加または非単調減少函数により変化して成る請求項１に記載の陰極線管。
【請求項３】
前記スクリーンの対角線端から管軸上の任意の点に連結された二つの直線が形成する角度が陰極線管の偏向角になるような管軸上の位置を偏向基準位置とし、前記コーン部と前記ボディーが接続される部位の位置をＴＯＲとする時、前記パネルの対角線方向の前記コーン部の厚さの変化率が管軸に沿って前記ネックシール部と前記偏向基準位置との間の区間のそれに比べて、前記偏向基準位置と前記ＴＯＲとの間の区間においてさらに大きくなって形成されることを特徴とする請求項２に記載の陰極線管。
【請求項４】
内面にスクリーンが形成されるパネルと；電子銃が挿入設置されるネック部と；前記ネック部側へ連結設置されるネックシール部と、該ネックシール部と連結設置されながら管軸に垂直な断面の形状がパネルの長軸及び短軸以外の方向へ最大径を有する非円形状に形成されるコーン部と、該コーン部と前記パネルに連結設置されるボディーを含むファンネルと；前記コーン部の外周上に設置され前記電子銃から放出された電子ビームを前記パネルの長軸及び短軸方向ヘ偏向させる偏向ヨークを含み、前記パネルの長軸方向における前記コーン部の厚さをＴｖ、前記パネルの短軸方向における前記コーン部の厚さをＴｈ、前記パネルの対角線方向における前記コーン部の厚さをＴｄとする時、前記コーン部の厚さが管軸に沿って次の式を満たしてなる陰極線管であって、
Ｔｖ（ｚ）＞Ｔｈ（ｚ）＞Ｔｄ（ｚ）
前記スクリーンの対角線端から管軸上の任意の点に連結された二つの直線が形成する角度が陰極線管の偏向角と同一に成る様な管軸上の位置を偏向基準位置とし、前記コーン部と前記ボディーが接続する部位の位置をＴＯＲとする時、前記パネルの対角線方向における前記コーン部の厚さの変化率について、管軸に沿って前記ネックシール部と前記偏向基準位置との間の区間のそれに比べて前記偏向基準位置と前記ＴＯＲとの間の区間でさらに大きく形成されることを特徴とする陰極線管。
【請求項５】
内面にスクリーンが形成されるパネルと、電子銃が挿入設置されるネック部と、前記ネック部側に連結設置されるネックシール部と、該ネックシール部と連結設置されながら管軸に垂直な断面の形状がパネルの長軸及び短軸以外の方向に最大径を有する非円形状に形成されるコーン部と、該コーン部と前記パネルに連結設置されるボディーを含むファンネルと、前記コーン部の外周上に設置され前記電子銃から放出された電子ビームを前記パネルの長軸及び短軸方向ヘ偏向させる偏向ヨークを含み、前記スクリーンの対角線端から管軸上の任意の点に連結された二つの直線が形成する角度が陰極線管の偏向角と同一になるようにする管軸上の位置を偏向基準位置とする時、前記コーン部の厚さが管軸に沿って前記パネルの長軸方向及び前記パネルの短軸方向においては単調増加函数により変化し、前記パネルの対角線方向においては前記ネックシール部と前記偏向基準位置との間に少なくとも一つ以上の極小値を有して非単調増加または非単調減少函数により変化してなる請求項４に記載の陰極線管。
【請求項６】
前記コーン部は、前記パネルの長軸方向の厚さと前記パネルの対角線方向の厚さとの差と、前記パネルの短軸方向の厚さと前記パネルの長軸方向の厚さとの差と、前記パネルの短軸方向の厚さと前記パネルの対角線方向の厚さとの差が前記偏向基準位置を中心にその近傍５ｍｍ以内で最大になるようにしたことを特徴とする請求項５に記載の陰極線管。
【請求項７】
前記コーン部は前記ネックシール部と前記偏向基準位置との間の区間における前記パネルの長、短軸及び対角線方向の厚さの変化率が次の式を満たしてなることを特徴とする請求項５に記載の陰極線管。
ΔＴｖ＞ΔＴｈ＞ΔＴｄ
【請求項８】
前記コーン部と前記ボディーが接続する部位の位置をＴＯＲとする時、前記コーン部は前記偏向基準位置と前記ＴＯＲとの間の区間における前記パネルの長、短軸及び対角線方向の厚さの変化率が次の式が満たしてなることを特徴とする請求項５に記載の陰極線管。
ΔＴｄ＞ΔＴｈ＞ΔＴｖ
【発明の詳細な説明】
【０００１】
【発明の属する技術分野】
本発明は陰極線管に関し、より詳しくは電子ビームのビーエスエヌ（ＢＳＮ：Ｂｅａｍ  Ｓｈａｄｏｗ  Ｎｅｃｋ、以下、ＢＳＮとする）特性を向上させながら偏向効率を増進させるようにした陰極線管に関する。
【０００２】
【従来の技術】
陰極線管は、公知のように電子銃から放出された電子ビームをスクリーンに対して水平および垂直方向に偏向させ、該電子ビームがスクリーンの蛍光体にランディングできるようにすることによって画像を具現する電子管である。ここで、前記電子ビームの偏向は陰極線管ファンネルの外周に装着されて水平および垂直磁界を形成する偏向ヨークによってなされる。
【０００３】
前記陰極線管は主にカラーテレビやコンピュータのモニターなどに装置化されて用いられ、近来では高品位テレビ（ＨＤＴＶ）のように高級化された製品にも適用されているのが実情である。
【０００４】
【発明が解決しようとする課題】
ここで、陰極線管を前記高品位テレビや他の事務自動化（ＯＡ）機器に適用し、またはスクリーンの輝度を向上するなどによりその品位向上を計っているが、そのために全長を短縮し広角偏向ができるよう偏向ヨークに多くの電流を印加し、偏向ヨークの偏向周波数を高めるなどの技術を適用している。この際、偏向電力の増大による漏洩磁界及び消費電力の上昇などが問題として提起される。
【０００５】
例えば、陰極線管をコンピュータのモニターに適用する際には漏洩磁界に対する規制が強化されるので、漏洩磁界を低減させるためには偏向ヨークに補償コイルを装着する。
【０００６】
しかし、偏向ヨークに補償コイルを装着する場合には、漏洩磁界の低減側面においてはある程度の効果を得ることができるが、補償コイルの使用による消費電力の上昇を引き起こす。
【０００７】
前記のように、陰極線管の品位向上においては偏向電力の増大による問題が重要な解決課題として残っている。
【０００８】
従来は、前記のような問題点を解決するために陰極線管のネック部の直径とファンネルのネック部側の外径を小さくすることによって、偏向ヨークが電子ビームの移動経路に近接できるようにし電子ビームに対する偏向ヨーク効率を増進するようにする技術を陰極線管に導入している。
【０００９】
しかし、前記技術においてはネック径の縮少によって電子銃を小型化する過程において構造的な不安が誘発され、必然的に画像解像特性の悪化及び高電圧安定度が低下する問題と、スクリーンのコーナー部位に到達する電子ビームがファンネルのネック部側の内壁に衝突し良好な画像の実現が難しくなる問題が内在している。
【００１０】
従って、前記問題点を解消するために、米国特許第３，７３１，１２９号では、偏向ヨークが装着されるファンネルの外周形状をネック部側からパネル側へ行くほど円形から非円形状に変化するようにして陰極線管を構成する技術が提案されている。
【００１１】
つまり、前記技術においては偏向ヨークが装着されるファンネルの部位がネック部からパネル側方向へ行くほど順次に円形から四角形状に変化するようにすることによって、従来に比べて偏向ヨークの水平及び垂直コイルがファンネル内部に形成される電子ビームの通過領域に近接できるようにし、結果的に電子ビームがファンネル内面に衝突しないように効果的に偏向させながら偏向電力を低減するようにしている。
【００１２】
しかし、前記技術においては電子ビームのＢＳＮ特性を極大化して良質の画像を使用者に提供することに困難な問題が内在しているが、このような問題点は偏向ヨークが装着されるファンネル部位の形状を電子ビームの実質的な移動経路を考慮せず単純に長方形化したのに起因する。
【００１３】
すなわち、陰極線管作用の際、電子ビームは実質的にパネルの長、短軸及び対角線部方向に対して他の経路に沿って移動するようになるが、前記技術においてはこのような点を考慮していないので、たとえ偏向ヨークが装着されるファンネル部位が四角形化されない陰極線管に比べてはある程度の電子ビームのＢＳＮ特性や偏向効率面における長所を有するとしても、それを極大化するのには不足な面がある。
【００１４】
従って、本発明は上記問題点に鑑みて案出されたものであって、本発明の目的は、偏向ヨークが装着されるファンネル部位を実質的な電子ビームの移動経路に近くなるように構成し電子ビームのＢＳＮ特性の向上と共に偏向電力の低減化を実現できるようにした陰極線管を提供することにある。
【００１５】
【課題を解決するための手段】
前記目的を実現するために本発明の特徴構成は、特許請求の範囲の欄の請求項１から１０に記載した通りである。即ち、内面にスクリーンが形成されるパネルと、電子銃が挿入設置されるネック部と、該ネック部に連結設置されるネックシール部と、該ネックシール部と連結設置されるコーン部と、該コーン部と前記パネルに連結設置されるボディーを含むファンネルと、前記コーン部の外周上に設置され電子銃から放出された電子ビームを前記パネルの長軸及び短軸方向へ偏向させる偏向ヨークを含み、前記パネルの長軸方向における前記コーン部の厚さをＴｖ、前記パネルの短軸方向における前記コーン部の厚さをＴｈ、前記パネルの対角線方向における前記コーン部の厚さをＴｄとする時、前記コーン部の厚さが管軸に沿って次の式を満たすようにして陰極線管を構成した。
Ｔｈ（ｚ）≒Ｔｖ（ｚ）＞Ｔｄ（ｚ）
【００１６】
また、本発明は前記目的を実現するために、内面にスクリーンが形成されるパネルと、電子銃が挿入設置されるネック部と、該ネック部側に連結設置されるネックシール部と、該ネックシール部と連結設置されながら管軸に垂直な断面の形状がパネルの長軸及び短軸以外の方向へ最大径を有する非円形状に形成されるコーン部と、該コーン部と前記パネルに連結設置されるボディーを含むファンネルと、前記コーン部の外周上に設置され、前記電子銃から放出された電子ビームを前記パネルの長軸及び短軸方向へ偏向させる偏向ヨークを含み、前記コーン部の厚さが管軸に沿って前記パネルの長軸方向及び前記パネルの短軸方向においては少なくとも１つ以上の極大値を有し非単調増加または非単調減少函数により変化され、前記パネルの対角線方向においては少なくとも一つ以上の極小値を有し非単調増加または非単調減少函数により変化されるようにして陰極線管を構成した。
【００１７】
また、本発明は前記目的を実現するために、内面にスクリーンが形成されるパネルと、電子銃が挿入設置されるネック部と、該ネック部側に連結設置されるネックシール部と、該ネックシール部と連結設置されながら管軸に垂直な断面の形状がパネルの長軸及び短軸以外の方向に最大径を有する非円形状に形成されるコーン部と、該コーン部と前記パネルに連結設置されるボディーを含むファンネルと、前記コーン部の外周上に設置され前記電子銃から放出された電子ビームを前記パネルの長軸及び短軸方向に偏向させる偏向ヨークを含み、前記パネルの長軸方向においての前記コーン部の厚さをＴｖ、前記パネルの短軸方向においての前記コーン部の厚さをＴｈ、前記パネルの対角線方向においての前記コーン部の厚さをＴｄとする時、前記コーン部の厚さが管軸に沿って次の式を満たすように陰極線管を構成した。
Ｔｖ（ｚ）＞Ｔｈ（ｚ）＞Ｔｄ（ｚ）
【００１８】
また、本発明は前記目的を実現するために、内面にスクリーンが形成されるパネルと、電子銃が挿入設置されるネック部と、該ネック部側へ連結設置されるネックシール部と、該ネックシール部と連結設置されながら管軸に垂直な断面の形状がパネルの長軸及び短軸以外の方向に最大径を有する非円形状に形成されるコーン部と、該コーン部と前記パネルに連結設置されるボディーを含むファンネルと、前記コーン部の外周上に設置され、前記電子銃から放出された電子ビームを前記パネルの長軸及び短軸方向に偏向させる偏向ヨークを含み、前記スクリーンの対角線端から管軸上の任意の点に連結された二つの直線が形成する角度が陰極線管の偏向角と同一になるようにする管軸上の位置を偏向基準位置とする時、前記コーン部の厚さが管軸に沿って前記パネルの長軸方向及び前記パネルの短軸方向においては単調増加函数により変化され、前記パネルの対角線方向においては前記ネックシール部と前記偏向基準位置との間に少なくとも一つ以上の極小値を有し、非単調増加または非単調減少函数により変化されるようにして陰極線管を構成した。
【００１９】
【発明の実施の形態】
以下、本発明についての望ましい実施形態について添付図面を参照しながら詳細に説明する。
【００２０】
図１は、本発明の実施例１による陰極線管を図示した断面図であり、図２は本発明の実施例１による陰極線管のパネルを図示した平面図であって、ここで図１はパネルの対角線方向を基準にして切開した断面図である。
【００２１】
前記陰極線管は、水平軸Ｈを長軸にし垂直軸Ｖを短軸にして略長方形に形成されるパネル１と、該パネル１に連結設置される漏斗状のファンネル３と、該ファンネル３に連結設置される円筒状のネック部５を含む真空体により構成されている。
【００２２】
前記パネル１の内面には、蛍光体スクリーン７が形成され、前記ファンネル３とネック部５との境界付近の外側には偏向ヨーク９が装着され、前記ネック部５の内側には電子銃１１が挿入設置される。
【００２３】
また、前記陰極線管は、前記ファンネル３を公知のように前記ネック部５からパネル１方向へネック部５との連結部を形成するネックシール部３０ａと、該ネックシール部３０ａに隣接するコーン部３０ｂと、該コーン部３０ｂのパネル側端部から急激に拡大され前記パネル１側へ連結されるボディー３０ｃを含んで構成されている。
【００２４】
前記のように構成された陰極線管は通常の陰極線管のように電子銃から放射された電子ビームを偏向ヨーク９によって前記パネル１の長軸Ｈ及び短軸Ｖ方向に偏向させ前記パネル１の内側へ設置されたシャドウマスク１３の電子ビーム通過孔を通過するようにしてスクリーンにランディングできるようにすることによって所定の画像を実現する。
【００２５】
前記陰極線管は前記のような作用の際、偏向電力を低減させながら電子ビームのＢＳＮ特性が向上できるようにするため、下記のような手段を講じている。
【００２６】
つまり、前記陰極線管は前記コーン部３０ｂを形成する際、管軸Ｚに沿って前記パネル１の長軸Ｈ及び短軸Ｖそれから対角線部Ｄ方向の厚さが異なるように形成される。
【００２７】
前記コーン部３０ｂの厚さの設定は、前記電子銃１１から放射された電子ビームの実質的な移動経路を考慮したものであるが、具体的な説明の前に必要ないくつの定義をすると次の通りである。
【００２８】
先ず、前記陰極線管は、機種によって偏向角φを有し、該偏向角に関係あるのが偏向基準位置（Ｒｅｆｅｒｅｎｃｅ  Ｌｉｎｅ；Ｒ／Ｌ）であるが、該偏向基準位置について定義すると、前記スクリーン７の対角線端７ａ、７ｂから管軸Ｚ上の任意の点に連結される二つの直線が形成する角度がその陰極線管の偏向角と同一になるような管軸Ｚ上の位置のことである。
【００２９】
また、前記コーン部３０ｂと前記ボディー３０ｃが接続する部位をＴＯＲ（Ｔｏｐ  ｏｆ  Ｒｏｕｎｄ）と定義する。
【００３０】
前記定義を参考にして、前記コーン部３０ｂに対する説明をさらにすると、先ず、前記コーン部３０ｂは上述したように管軸Ｚに沿って前記パネル１の長軸Ｈ方向の厚さＴｈ及びパネル１の短軸Ｖ方向の厚さＴｖ、パネルの対角線部Ｄ方向の厚さＴｄは下記の数式の条件から形成される。
Ｔｈ（ｚ）≒Ｔｖ（Ｚ）＞Ｔｄ（ｚ）
つまり、図３を参考にしてみると、前記コーン部３０ｂは、前記ネックシール部３０ａから前記ＴＯＲ部位まで管軸Ｚに沿っており、長軸方向の厚さＴｈと短軸方向の厚さＴｖを大略同一にし、同時に対角線部方向における厚さＴｄはこれらの厚さＴｈ、Ｔｖより小さくして形成されるものである。
【００３１】
実質的に本実施例において前記コーン部３０ｂを構成した具体的な例が図４に示されている。図４は、ネックシール部３０ａからＴＯＲ部位まで管軸に沿って前記コーン部３０ｂの長軸の厚さＴｈ、短軸の厚さＴｖ、対角線側の厚さＴｄが変化する程度を示したグラフであって、該グラフにおいて横軸は管軸Ｚによる前記コーン部３０ｂ上の位置を、縦軸は各方向の厚さを示している。この時、横軸における前記偏向基準位置Ｒ／Ｌ地点を中心点Ｏとして表記した。
【００３２】
前記図４を参考にして前記コーン部３０ｂの形状を説明すると、前記コーン部３０ｂは長軸方向の厚さＴｈと短軸方向の厚さＴｖが前記区間（Ｎｅｃｋ  Ｓｅａｌ〜ＴＯＲ）において少なくとも１つ以上の極大値Ｐ１を有し、非単調増加または非単調減少函数の形で変化して形成されるようにする。
【００３３】
対して、前記コーン部３０ｂの対角線部方向の厚さＴｄは、前記厚さＴｈ、Ｔｖよりはその値が小さく、少なくとも一つの極小値Ｐ２を有して非単調増加または非単調減少函数の形に変化して形成されるようにする。また、この際、前記コーン部３０ｂは、対角線部方向の厚さＴｄを設定するのにその厚さの変化率ΔＴｄが前記ネックシール部３０ａと偏向基準位置Ｒ／Ｌとの間の区間より偏向基準位置Ｒ／Ｌと前記ＴＯＲとの間の区間においてさらに大きくなるように形成される。
【００３４】
つまり、電子ビームの広角偏向の際には主にＢＳＮが問題となる区間が前記ネックシール部３０ａと偏向基準位置Ｒ／Ｌとの間であるため、この部分における対角線部の厚さを前記偏向基準位置Ｒ／ＬからＴＯＲの間の部分よりは相対的に薄くする必要がある。従って、本実施例においては、前記ネックシール部３０ａと偏向基準位置Ｒ／Ｌとの間の対角線部の厚さの変化率を小さくするわけである。
【００３５】
前記のように形成されたコーン部３０ｂは、電子ビームの実質的な移動経路に合うように形状化された厚さからなることによって、言い換えると、対角線部方向の厚さＴｄを他の方向の厚さより小さくして形成されるので、陰極線管作用の際、パネル１の対角線部方向へ偏向される電子ビームが前記コーン部３０ｂの内面にぶつかることなく、スクリーン７にランディングし、スクリーン７のコーナー部側に対しても良好な画像の実現をするのに役に立つ。
【００３６】
また、前記コーン部３０ｂは、それ自体の形状によって結果的にその外周上に装着される偏向ヨークを電子ビームに近くなるようにするので、偏向ヨークが少量の電流にて電子ビームを偏向させるようにし偏向電力の低減にも実質的な効果を持つようになる。
【００３７】
次に、本発明の実施例２について説明する。図５は本発明の実施例２による陰極線管を図示した切開斜視図である。図示したようにこの陰極線管もやはり上述した例の陰極線管と同様に内面に蛍光体スクリーン２０が形成される長方形パネル２２と、該パネル２２に連結設置される漏斗状のファンネル２４と、該ファンネル２４に連結設置されながらその内側に電子銃２６が挿入設置されるネック部２８からなる真空体にて構成される。
【００３８】
また、前記ファンネル２４は、円筒状の前記ネック部２８に連結されるネックシール部２４ａと、該ネックシール部２４ａと隣接し、その外周上に偏向ヨーク３０が装着されるコーン部２４ｂと、該コーン部２４ｂのパネル側の端部から急激に拡大され前記パネル２２と連結されるボディー２４ｃを含んで構成される。
【００３９】
ここで、前記コーン部２４ｂは、図６に示したように前記ネック部２８側には該ネック部２８と同様な直径を持つ円形に形成されるが、該ネック部２８側から前記パネル２２側へ行くに従って次第に図７に示したように前記パネル２２の長軸Ｈ及び短軸Ｖ以外の方向に最大径を有する、例えば長方形のような非円形に形成される。
【００４０】
つまり、前記実施例２の陰極線管においては偏向ヨーク３０が装着される前記コーン部２４ｂの形状を四角形化し陰極線管作用の際、実質的に偏向ヨーク３０がコーン部２４ｂの内部を通る電子ビームの移動軌跡に近接するようにすることによって偏向電力の低減化を図るようになる。
【００４１】
前記状態において前記陰極線管も前記コーン部２４ｂの形状が前述した例のように管軸Ｚに沿ってパネル２２の長、短軸及び対角線部の方向の厚さ（Ｔｈ、Ｔｖ、Ｔｄ）が相互異なるようにして形成される。
【００４２】
図８は管軸Ｚに対して垂直な前記コーン部２４ｂの断面を示した図面であって、この図面から分かるように、前記コーン部２４ｂは管軸Ｚに沿って前記パネル２２の長軸Ｖ方向における厚さＴｖとパネルの短軸Ｈ方向の厚さＴｈ、パネルの対角線部Ｄ方向の厚さＴｄが次の式を満たすようにする形からなる。
Ｔｖ（ｚ）＞Ｔｈ（ｚ）＞Ｔｄ（ｚ）
【００４３】
つまり、前記形態は電子ビームが実質的に偏向ヨーク３０によって偏向される際、前記パネル２２の長軸Ｈ及び対角線部Ｄの方向よりは短軸Ｖ方向において相対的な偏向余裕を有するので、これを考慮して前記短軸方向の厚さＴｖを一番厚くし、次には長軸方向の厚さＴｈを厚くし、終りに対角線部方向における厚さＴｄを一番薄くして形成している。
【００４４】
本実施例において具体的に前記コーン部２４ｂの形成例は図９に示したグラフと同様である。つまり、前記コーン部２４ｂ上の位置から前記偏向基準位置Ｒ／Ｌを中心部に見た時、前記コーン部２４ｂはネックシール部２４ａからＴＯＲ地点まで前記パネル２２の垂直軸及び水平軸それから対角線部方向の厚さとが異なって形成されている。この際、前記長軸方向の厚さＴｈと短軸方向の厚さＴｖは単調増加函数の形に変化されるようにし、また対角線部方向の厚さＴｄは前記ネックシール部２２ａと偏向基準位置Ｒ／Ｌとの区間の間に少なくとも一つの極小値Ｐ３を有して非単調増加または非単調減少函数の形に変化されるようになる。
【００４５】
また、前記実施例においては前記偏向基準位置Ｒ／Ｌを基準に、その近傍５ｍｍ以内において次のような条件をさらに満たすようにする。前記長軸方向の厚さＴｈと対角線部方向の厚さＴｄとの差Ｔｈ−Ｔｄと、前記短軸方向の厚さＴｖと長軸方向の厚さＴｈとの差Ｔｖ−Ｔｈと、短軸方向の厚さＴｖと対角線部方向の厚さＴｄとの差Ｔｖ−Ｔｄとが最大となるようにすることである。
【００４６】
前記のような条件は、電子ビームの偏向が最大になる部分における対角線部の厚さを一番薄くしながら、全体的には電子ビームの軌跡にファンネルを最適化させることができるので偏向電力低減に効果がある。また、前記コーン部２４ｂは前記対角線部方向の厚さＴｄの設定において、その厚さの変化率ΔＴｄが前記ネックシール部２２ａと偏向基準位置Ｒ／Ｌとの間の区間よりは偏向基準位置Ｒ／ＬとＴＯＲとの間の区間において更に大きくなるようにしており、さらに、長、短軸及び対角線部の方向の全体的な厚さの変化率を考慮することにおいては前記ネックシール部２２ａと偏向基準位置Ｒ／Ｌとの間の区間においてΔＴｖ＞ΔＴｈ＞ΔＴｄの式を満たすようにし、前記偏向基準位置Ｒ／ＬとＴＯＲ区間との間においてはΔＴｄ＞ΔＴｈ＞ΔＴｖの式を満たすようにした。
【００４７】
そして、前記のように構成されるコーン部２４ｂも前述した例のように電子ビームの実質的な移動経路に合うように形状化された厚さを有して形成されることによって、言い換えると対角線方向の厚さＴｄを他の側の方向の厚さより小さくして形成され、陰極線管作用の際、電子ビームが前記コーン部２４ｂの内面にぶつかることなく、スクリーン２０にランディングされスクリーン２０のコーナー部側に対しても良好な画像の実現をするのに役に立つ。
【００４８】
【発明の効果】
以上のように、本発明の好ましい実施例について説明したが、本発明はこれに限られるわけではなく、特許請求の範囲と発明の詳細な説明及び添付した図面の範囲内で様々に変形して実施でき、これも本発明の範囲に属するのは当然のことである。
【００４９】
上記のように、本発明による陰極線管は、偏向ヨークが装着されるファンネルのコーン部の方向によって異なる厚さをもって形成することによって、陰極線管作用の際、偏向電力が低減するようにしながらも電子ビームがコーン部の内面に衝突せずスクリーンにランディングするようにし良好な画像を実現する効果を持つ。
【図面の簡単な説明】
【図１】本発明の実施例１による陰極線管を示した断面図
【図２】本発明の実施例１による陰極線管のパネルを示した平面図
【図３】本発明の実施例１による陰極線管の管軸に垂直なるコーン部の断面図
【図４】本発明の実施例１による陰極線管のコーン部の位置と厚さの相関関係を示すグラフ
【図５】本発明の実施例２による陰極線管を示した切開斜視図
【図６】実施例２による陰極線管の管軸に垂直なコーン部の断面図
【図７】実施例２による陰極線管の管軸に垂直なコーン部の断面図
【図８】実施例２による陰極線管の管軸に垂直なコーン部の断面図
【図９】本発明の実施例２による陰極線管のコーン部の位置と厚さの相関関係を示すグラフ
【符号の説明】
１      パネル
３      ファンネル
５      ネック部
７      スクリーン
７ａ    スクリーンの対角線端
７ｂ    スクリーンの対角線端
９      偏向ヨーク
１１    電子銃
１３    シャドウマスク
３０ａ  ネックシール部
３０ｂ  コーン部
３０ｃ  ボディー
Ｄ      パネルの対角線部
Ｈ      パネルの長軸
Ｒ／Ｌ  偏向基準位置
Ｐ１    極大値
Ｐ２    極小値
ＴＯＲ  コーン部とボディーが接続する部位
Ｔｄ    パネルの対角線部方向の厚さ
Ｔｈ    パネルの長軸方向の厚さ
Ｔｖ    パネルの短軸方向の厚さ
Ｖ      パネルの短軸
Ｚ      管軸
２０    スクリーン
２２    パネル
２４    ファンネル
２４ａ  ネックシール部
２４ｂ  コーン部
２４ｃ  ボディー
２６    電子銃
２８    ネック部
３０    偏向ヨーク
【図１】
0004520558.tif 000002
【図２】
0004520558.tif 000003
【図３】
0004520558.tif 000004
【図４】
0004520558.tif 000005
【図５】
0004520558.tif 000006
【図６】
0004520558.tif 000007
【図７】
0004520558.tif 000008
【図８】
0004520558.tif 000009
【図９】
0004520558.tif 000010